【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
複数の溝部と、表面部と、裏面部と、複数の溝間部と、複数の側面と、を有する装飾体であって、
前記装飾体が画像・文字・ロゴ・図形・模様の少なくともいずれかを表示し、
前記複数の溝部の少なくとも一部は、溝部の長さ方向が互いに平行である形状・直線又は曲線が一定の送り幅又は複数の送り幅の組合せにより平行に繰り返されてなる形状の少なくとも一方の形状であり、
前記表面部は前記装飾体のうち外側に露出した境界面の一部であって、前記表面部において前記少なくとも一方の形状が観察可能であり、
前記裏面部は前記装飾体のうち外側に露出した境界面の一部であって、前記裏面部は前記表面部と対向し、
前記複数の溝間部は前記複数の溝部のうち互いに隣り合う複数の溝部にそれぞれ挟まれ、
前記複数の側面は前記複数の溝部の各々と前記複数の溝間部の各々との複数の境界面であり、
前記複数の溝部の少なくとも一部が前記少なくとも一方の形状である前記装飾体の少なくとも一部において、前記複数の溝間部の少なくとも一部の屈折率をｎとすると、前記複数の溝部の少なくとも一部の各々の片側の前記複数の側面の一部である複数の第１の側面・該複数の第１の側面にそれぞれ対応する前記複数の溝間部の少なくとも一部を挟んでそれぞれ最も近くで向かい合う複数の第２の側面・前記複数の第１の側面における前記裏面部の側の複数の端部ごとの複数の第１の点・該複数の第１の点から前記表面部を含む面に下ろした垂線又は法線・前記複数の第２の側面の前記表面部の側の複数の端部におけるそれぞれ対応する前記垂線又は法線にそれぞれ最も近い複数の第２の点に関し、前記複数の溝部の少なくとも一部の深さが、それぞれ対応する前記垂線又は法線とそれぞれ対応する前記複数の第２の点との最短距離のｃｏｔ［ａｒｃｓｉｎ（１／ｎ）］倍より大きく、
前記深さが前記最短距離のｃｏｔ［ａｒｃｓｉｎ（１／ｎ）］倍より大きい前記装飾体の少なくとも一部において、互いに隣り合う前記複数の溝部の少なくとも一部が互いに離れており、
前記互いに隣り合う複数の溝部の少なくとも一部が互いに離れている前記装飾体の少なくとも一部において、前記裏面部の少なくとも一部が前記表面部の少なくとも一部及び前記複数の溝間部の少なくとも一部を透過して観察可能である、
ことを特徴とする装飾体。
【請求項２】
前記透過して観察可能である装飾体の少なくとも一部において、前記複数の溝部の少なくとも一部が、それぞれの両側の複数の側面のなす前記溝部の側の角度が１０°以下である略楔状であり、
前記略楔状である複数の溝部の少なくとも一部が、それぞれ対応する前記複数の溝間部の一部・前記表面部の一部・前記裏面部の一部の少なくともいずれかと異なる色で着色された、
請求項１に記載の装飾体。
【請求項３】
前記着色された複数の溝部の少なくとも一部の複数の側面の、該複数の側面の設計上の基準面からのずれの量が、対応する溝部の幅の１／１２以下である、
請求項２に記載の装飾体。
【請求項４】
前記透過して観察可能である装飾体の少なくとも一部において、前記複数の溝部の少なくとも一部が、それぞれの両側の複数の側面のなす前記溝部の側の角度が１０°以下である略楔状であり、
前記略楔状である複数の溝部の少なくとも一部が、それぞれの先端部分に深さ方向の複数の凹凸を有し、かつ、それぞれの始点又は終点の少なくとも一方の近隣に、該近隣以外の部分より大きい深さの差の前記複数の凹凸を有する、
請求項１に記載の装飾体。
【請求項５】
前記深さ方向の複数の凹凸を有する複数の溝部の少なくとも一部の複数の側面の、該複数の側面の理想的な基準面からのずれの量が、対応する溝部の幅の１／１２以下である、
請求項４に記載の装飾体。
【請求項６】
前記深さ方向の複数の凹凸を有する複数の溝部の少なくとも一部が、それぞれ対応する前記複数の溝間部の一部・前記表面部の一部・前記裏面部の一部の少なくともいずれかと異なる色で着色された、
請求項４又は５に記載の装飾体。
【請求項７】
前記深さ方向の複数の凹凸を有する複数の溝部の複数の側面が複数の波状の凹凸を有し、かつ、前記複数の溝部の深さが４ｍｍ以上である、
請求項４から６のいずれかに記載の装飾体。
【請求項８】
前記透過して観察可能である装飾体の少なくとも一部において、前記複数の溝部の少なくとも一部が、それぞれ対応する前記複数の溝間部の一部・前記表面部の一部・前記裏面部の一部の少なくともいずれかと異なる色で着色され、
前記着色された複数の溝部の少なくとも一部が充填部を有し、
前記複数の溝部の少なくとも一部が前記充填部を有する前記装飾体の少なくとも一部において、前記複数の溝部以外の部分の一部が、該一部以外の部分と異なる色であり、
前記異なる色である複数の溝部以外の部分の一部が、前記表面部の少なくとも一部及び前記複数の溝間部の少なくとも一部を透過して観察可能であり、
該観察可能である異なる色の部分の含む面が、前記裏面部の少なくとも一部と略一致するか、前記裏面部の少なくとも一部に略平行である、
請求項１に記載の装飾体。
【請求項９】
前記溝部の少なくとも一部が前記画像・文字・ロゴ・図形・模様の少なくともいずれかを表示し、
前記異なる色の部分の少なくとも一部が略不透明である、
請求項８に記載の装飾体。
【請求項１０】
前記異なる色の部分の少なくとも一部が、前記複数の溝部の少なくとも一部に略接する、
請求項８又は９に記載の装飾体。
【請求項１１】
前記透過して観察可能である装飾体の少なくとも一部において、前記複数の溝部の少なくとも一部のの複数の側面が複数の波状の凹凸を有し、かつ、該複数の側面の設計上の基準面からのずれの量が、対応する溝部の幅の１／１２以下である
請求項１に記載の装飾体。
【請求項１２】
前記複数の側面が複数の凹凸を有する前記複数の溝部の少なくとも一部のピッチが１ｍｍ以上である、
請求項１１に記載の装飾体。
【請求項１３】
請求項１から１２のいずれかに記載の装飾体と、該装飾体に照明光を照射する照明器具と、を具える
ことを特徴とする装飾体照明設備。
【請求項１４】
画像を取得する画像取得工程と、
前記画像に基づき、レーザを用いて熱により材料を溶かして加工する加工工程と、を具え、
それらにより、複数の溝部と、表面部と、裏面部と、複数の溝間部と、複数の側面と、を有する装飾体であって、
前記装飾体が画像・文字・ロゴ・図形・模様の少なくともいずれかを表示し、
前記複数の溝部の少なくとも一部は、溝部の長さ方向が互いに平行である形状・直線又は曲線が一定の送り幅又は複数の送り幅の組合せにより平行に繰り返されてなる形状の少なくとも一方の形状であり、
前記表面部は前記装飾体のうち外側に露出した境界面の一部であって、前記表面部において前記少なくとも一方の形状が観察可能であり、
前記裏面部は前記装飾体のうち外側に露出した境界面の一部であって、前記裏面部は前記表面部と対向し、
前記複数の溝間部は前記複数の溝部のうち互いに隣り合う複数の溝部にそれぞれ挟まれ、
前記複数の側面は前記複数の溝部の各々と前記複数の溝間部の各々との複数の境界面であり、
前記複数の溝部の少なくとも一部が前記少なくとも一方の形状である前記装飾体の少なくとも一部において、前記複数の溝間部の少なくとも一部の屈折率をｎとすると、前記複数の溝部の少なくとも一部の各々の片側の前記複数の側面の一部である複数の第１の側面・該複数の第１の側面にそれぞれ対応する前記複数の溝間部の少なくとも一部を挟んでそれぞれ最も近くで向かい合う複数の第２の側面・前記複数の第１の側面における前記裏面部の側の複数の端部ごとの複数の第１の点・該複数の第１の点から前記表面部を含む面に下ろした垂線又は法線・前記複数の第２の側面の前記表面部の側の複数の端部におけるそれぞれ対応する前記垂線又は法線にそれぞれ最も近い複数の第２の点に関し、前記複数の溝部の少なくとも一部の深さが、それぞれ対応する前記垂線又は法線とそれぞれ対応する前記複数の第２の点との最短距離のｃｏｔ［ａｒｃｓｉｎ（１／ｎ）］倍より大きく、
前記深さが前記最短距離のｃｏｔ［ａｒｃｓｉｎ（１／ｎ）］倍より大きい前記装飾体の少なくとも一部において、互いに隣り合う前記複数の溝部の少なくとも一部が互いに離れており、
前記互いに隣り合う複数の溝部の少なくとも一部が互いに離れている前記装飾体の少なくとも一部において、前記裏面部の少なくとも一部が前記表面部の少なくとも一部及び前記複数の溝間部の少なくとも一部を透過して観察可能である装飾体を製造する、
ことを特徴とする装飾体製造方法。
【請求項１５】
前記透過して観察可能である装飾体の少なくとも一部において、前記複数の溝部の少なくとも一部が、それぞれ対応する前記複数の溝間部の一部・前記表面部の一部・前記裏面部の一部の少なくともいずれかと異なる色で着色された、
請求項１４に記載の装飾体製造方法。
【請求項１６】
前記透過して観察可能である装飾体の少なくとも一部において、前記複数の溝部が空隙を有する、
請求項１４又は１５に記載の装飾体製造方法。
【請求項１７】
前記透過して観察可能である装飾体の少なくとも一部において、前記複数の溝部の深さが４ｍｍ以上である、
請求項１４から１６のいずれかに記載の装飾体製造方法。
【請求項１８】
前記透過して観察可能である装飾体の少なくとも一部において、前記複数の溝部が、それぞれの先端部分に深さ方向の複数の凹凸を有し、かつ、それぞれの始点又は終点の少なくとも一方の近隣に、該近隣以外の部分より大きい深さの差の前記複数の凹凸を有する、
請求項１４から１７のいずれかに記載の装飾体製造方法。
【請求項１９】
前記透過して観察可能である装飾体の少なくとも一部において、前記複数の溝部の少なくとも一部が、それぞれ対応する前記複数の溝間部の一部・前記表面部の一部・前記裏面部の一部の少なくともいずれかと異なる色で着色され、
前記着色された複数の溝部の少なくとも一部が充填部を有し、
前記複数の溝部の少なくとも一部が前記充填部を有する前記装飾体の少なくとも一部において、前記複数の溝部以外の部分の一部が、該一部以外の部分と異なる色であり、
前記異なる色である複数の溝部以外の部分の一部が、前記表面部の少なくとも一部及び前記複数の溝間部の少なくとも一部を透過して観察可能であり、
該観察可能である異なる色の部分の含む面が、前記裏面部の少なくとも一部と略一致するか、前記裏面部の少なくとも一部に略平行である、
請求項１４に記載の装飾体製造方法。
【請求項２０】
前記溶かして加工される材料がＰＭＭＡである、
請求項１４から１９のいずれかに記載の装飾体製造方法。
【請求項２１】
前記透過して観察可能である装飾体の少なくとも一部において、前記複数の溝間部の最小の幅が該複数の溝間部にそれぞれ隣接する前記複数の溝部の少なくとも一部の最大の幅以上である、
請求項１４から２０のいずれかに記載の装飾体製造方法。
【請求項２２】
前記透過して観察可能である装飾体の少なくとも一部において、前記複数の溝部のうち前記表面部の側の複数の端部を通る面が前記表面部と一致するか前記表面部に平行であるか、又は前記複数の溝部のうち前記裏面部の側の複数の端部を通る面が前記裏面部と一致するか前記裏面部に平行であるかの少なくとも一方である、
請求項１４から２１のいずれかに記載の装飾体製造方法。
【請求項２３】
前記透過して観察可能である装飾体の少なくとも一部において、前記表面部と前記裏面部とが、実用上互いに平行である、
請求項１４から２２のいずれかに記載の装飾体製造方法。
【請求項２４】
前記透過して観察可能である装飾体の少なくとも一部において、前記複数の溝部の複数の二分面が前記表面部又は前記裏面部の少なくとも一方に垂直である、
請求項１４から２３のいずれかに記載の装飾体製造方法。
【請求項２５】
画像を取得する画像取得部と、
前記画像に基づき、レーザを用いて熱により材料を溶かして加工する加工部と、を具え、
それらにより、複数の溝部と、表面部と、裏面部と、複数の溝間部と、複数の側面と、を有する装飾体であって、
前記装飾体が画像・文字・ロゴ・図形・模様の少なくともいずれかを表示し、
前記複数の溝部の少なくとも一部は、溝部の長さ方向が互いに平行である形状・直線又は曲線が一定の送り幅又は複数の送り幅の組合せにより平行に繰り返されてなる形状の少なくとも一方の形状であり、
前記表面部は前記装飾体のうち外側に露出した境界面の一部であって、前記表面部において前記少なくとも一方の形状が観察可能であり、
前記裏面部は前記装飾体のうち外側に露出した境界面の一部であって、前記裏面部は前記表面部と対向し、
前記複数の溝間部は前記複数の溝部のうち互いに隣り合う複数の溝部にそれぞれ挟まれ、
前記複数の側面は前記複数の溝部の各々と前記複数の溝間部の各々との複数の境界面であり、
前記複数の溝部の少なくとも一部が前記少なくとも一方の形状である前記装飾体の少なくとも一部において、前記複数の溝間部の少なくとも一部の屈折率をｎとすると、前記複数の溝部の少なくとも一部の各々の片側の前記複数の側面の一部である複数の第１の側面・該複数の第１の側面にそれぞれ対応する前記複数の溝間部の少なくとも一部を挟んでそれぞれ最も近くで向かい合う複数の第２の側面・前記複数の第１の側面における前記裏面部の側の複数の端部ごとの複数の第１の点・該複数の第１の点から前記表面部を含む面に下ろした垂線又は法線・前記複数の第２の側面の前記表面部の側の複数の端部におけるそれぞれ対応する前記垂線又は法線にそれぞれ最も近い複数の第２の点に関し、前記複数の溝部の少なくとも一部の深さが、それぞれ対応する前記垂線又は法線とそれぞれ対応する前記複数の第２の点との最短距離のｃｏｔ［ａｒｃｓｉｎ（１／ｎ）］倍より大きく、
前記深さが前記最短距離のｃｏｔ［ａｒｃｓｉｎ（１／ｎ）］倍より大きい前記装飾体の少なくとも一部において、互いに隣り合う前記複数の溝部の少なくとも一部が互いに離れており、
前記互いに隣り合う複数の溝部の少なくとも一部が互いに離れている前記装飾体の少なくとも一部において、前記裏面部の少なくとも一部が前記表面部の少なくとも一部及び前記複数の溝間部の少なくとも一部を透過して観察可能である装飾体を製造する、
ことを特徴とする装飾体製造装置。